(57)【要約】【課題】各キートップの打鍵時の沈み込みを抑制しつつ、入力装置の組立及び分解の工数を削減することが目的である。【解決手段】入力装置２０は、アッパーカバー１８と、キーボード２４と、複数のフック３６とを備える。アッパーカバー１８は、複数のキー開口２８を有する。キーボード２４は、アッパーカバー１８の裏側に配置されたベース板５０と、ベース板５０の表側に設けられ複数のキー開口２８にそれぞれ挿入された複数のキートップ５２とを有する。複数のフック３６は、複数のキートップ５２毎に配置されると共に、アッパーカバー１８の裏面１８Ａに立設され、キーボード２４をアッパーカバー１８に固定する。【選択図】図３
2017076213.tif 000002
【特許請求の範囲】
【請求項１】
複数のキー開口を有するアッパーカバーと、
前記アッパーカバーの裏側に配置されたベース板と、前記ベース板の表側に設けられ前記複数のキー開口にそれぞれ挿入された複数のキートップとを有するキーボードと、
前記複数のキートップ毎に配置されると共に、前記アッパーカバーの裏面に立設され、前記キーボードを前記アッパーカバーに固定する複数のフックと、
を備える入力装置。
【請求項２】
前記複数のフックは、前記ベース板を貫通し、
前記ベース板の裏面には、支持板が重ね合わされ、
前記複数のフックの先端部は、前記支持板と係合されている、
請求項１に記載の入力装置。
【請求項３】
前記キーボードは、平面視で長手方向及び短手方向を有する形状に形成され、
前記支持板は、前記キーボードの長手方向にスライド可能とされ、
前記支持板には、前記支持板が前記キーボードの長手方向の一方側にスライドされた状態では前記複数のフックの先端部との係合が解除され、前記支持板が前記キーボードの長手方向の他方側にスライドされた状態では前記複数のフックの先端部と係合される被係合部が設けられている、
請求項２に記載の入力装置。
【請求項４】
前記複数のフックは、前記キーボードの長手方向に前記フックが複数並ぶフック列を前記キーボードの短手方向に複数形成している、
請求項３に記載の入力装置。
【請求項５】
前記複数のキートップには、平面視で長方形状のキートップが含まれ、
前記複数のフックのうち前記長方形状のキートップと対応するフックは、前記長方形状のキートップの長手方向の中央部と該キートップの短手方向に並んで配置されている、
請求項１〜請求項４のいずれか一項に記載の入力装置。
【請求項６】
入力装置を有する本体装置と、
前記本体装置に回動可能に固定された表示装置と、
を備え、
前記入力装置は、
複数のキー開口を有するアッパーカバーと、
前記複数のキー開口にそれぞれ挿入された複数のキートップを有するキーボードと、
前記複数のキートップ毎に配置されると共に、前記アッパーカバーの裏面に立設され、前記キーボードを前記アッパーカバーに固定する複数のフックと、
を有する、
電子機器。
【請求項７】
複数のキー開口を有するアッパーカバーの裏側からキーボードに設けられた複数のキートップを前記複数のキー開口にそれぞれ挿入し、
前記複数のキートップ毎に配置されると共に前記アッパーカバーの裏面に立設された複数のフックで、前記キーボードを前記アッパーカバーに固定する、
ことを含む入力装置の製造方法。
【発明の詳細な説明】
【技術分野】
【０００１】
本願の開示する技術は、入力装置、電子機器、入力装置の製造方法に関する。
【背景技術】
【０００２】
例えば、ノート型パーソナルコンピュータは、表示装置と、本体装置とを備える。本体装置には、一般に、アッパーカバーと、キーボードとを有する入力装置が設けられる。また、この種の入力装置のなかには、キーボードがアッパーカバーの裏側からアッパーカバーに組み付けられるものがある。このような入力装置では、アッパーカバーに複数のキー開口が形成され、キーボードに設けられた複数のキートップは、アッパーカバーの裏側から複数のキー開口にそれぞれ挿入されてアッパーカバーの表側に露出される（例えば、特許文献１参照）。
【先行技術文献】
【特許文献】
【０００３】
【特許文献１】特開２０１３−２００６７７号公報
【特許文献２】特開２００９−２９４８０９号公報
【特許文献３】特開２０１３−１２２７２９号公報
【特許文献４】特開２０１３−２４２７２９号公報
【発明の概要】
【発明が解決しようとする課題】
【０００４】
上述の入力装置において、キートップを打鍵した際にキートップに沈み込みが生じると、入力装置の感性品質が低下する虞がある。したがって、入力装置の感性品質を向上させるためには、各キートップの打鍵時の沈み込みを抑制できることが望まれる。
【０００５】
また、キーボードがアッパーカバーの裏側からアッパーカバーに組み付けられる入力装置では、キーボードをアッパーカバーに接着することが考えられる。しかしながら、キーボードをアッパーカバーの裏面に接着した場合には、入力装置を分解する際に、キーボードをアッパーカバーから分離させることが困難になる虞がある。
【０００６】
そこで、キーボードがアッパーカバーの裏側からアッパーカバーに組み付けられる入力装置において、キーボードをアッパーカバーにネジ止めで固定することが考えられる。しかしながら、キーボードをアッパーカバーにネジ止めで固定する場合には、多数のネジが必要となり、入力装置の組立及び分解のための工数が増加する。
【０００７】
本願の開示する技術は、一つの側面として、各キートップの打鍵時の沈み込みを抑制しつつ、入力装置の組立及び分解の工数を削減することを目的とする。
【課題を解決するための手段】
【０００８】
上記目的を達成するために、本願の開示する技術の一観点によれば、アッパーカバーと、キーボードと、複数のフックとを備える入力装置が提供される。アッパーカバーは、複数のキー開口を有する。キーボードは、アッパーカバーの裏側に配置されたベース板と、ベース板の表側に設けられ複数のキー開口にそれぞれ挿入された複数のキートップとを有する。複数のフックは、複数のキートップ毎に配置されると共に、アッパーカバーの裏面に立設され、キーボードをアッパーカバーに固定する。
【発明の効果】
【０００９】
本願の開示する技術によれば、各キートップの打鍵時の沈み込みを抑制しつつ、入力装置の組立及び分解の工数を削減することができる。
【図面の簡単な説明】
【００１０】
【図１】ノート型パーソナルコンピュータの斜視図である。
【図２】第一実施形態の入力装置を表側から見た分解斜視図である。
【図３】第一実施形態の入力装置を裏側から見た分解斜視図である。
【図４】第一実施形態の入力装置の組立後の状態を示す斜視図である。
【図５】第一実施形態のアッパーカバー構造体を裏側から見た斜視図である。
【図６】第一実施形態の取付部材を裏側から見た斜視図である。
【図７】第一実施形態の取付部材を曲げ加工する前の状態を示す斜視図である。
【図８】第一実施形態の長方形状のキートップとフックとの位置関係を示す図である。
【図９】第二実施形態の入力装置を裏側から見た分解斜視図である。
【図１０】第二実施形態の入力装置の組立後の状態を示す斜視図である。
【図１１】第二実施形態のアッパーカバー構造体を裏側から見た斜視図である。
【図１２】第二実施形態のアッパーカバーを裏側から見た斜視図である。
【図１３】第二実施形態のアッパーカバーを絞り加工する前の状態を示す斜視図である。
【図１４】第二実施形態の入力装置の一部断面を含む斜視図である。
【図１５】第二実施形態の入力装置の一部断面を含む斜視図である。
【図１６】第一変形例に係る電子機器の斜視図である。
【図１７】第一変形例に係る電子機器の分解斜視図である。
【図１８】第一変形例に係る電子機器の分解斜視図である。
【図１９】第二変形例に係る電子機器の分解斜視図である。
【発明を実施するための形態】
【００１１】
［第一実施形態］
はじめに、本願の開示する技術の第一実施形態を説明する。
【００１２】
第一実施形態では、「電子機器」の一例として、ノート型パーソナルコンピュータについて説明する。図１には、第一実施形態に係るノート型パーソナルコンピュータ１０が斜視図にて示されている。
【００１３】
各図の矢印ＵＰ、矢印ＦＲ、及び、矢印ＲＨは、ノート型パーソナルコンピュータ１０の高さ方向の上側、奥行方向の手前側（前側）、及び、横幅方向の右側をそれぞれ示している。図１に示されるように、ノート型パーソナルコンピュータ１０は、本体装置１１及び表示装置１２を備える。
【００１４】
表示装置１２には、例えば液晶表示器などの表示器１３が設けられている。表示装置１２は、本体装置１１に回動可能に固定されている。この表示装置１２は、本体装置１１側に閉じられた状態と、本体装置１１から開かれた状態とを取り得る。図１では、表示装置１２が開かれた状態で示されている。
【００１５】
本体装置１１は、ロアカバー１６及びアッパーカバー１８を有する。このロアカバー１６及びアッパーカバー１８は、平盤状に形成された本体装置１１の厚さ方向に分割されている。ロアカバー１６及びアッパーカバー１８のうちアッパーカバー１８側には、後述するキーボード２４を含む入力装置２０が設けられている。
【００１６】
図２〜図４には、第一実施形態に係る入力装置２０が示されている。図２，図３に示されるように、入力装置２０は、アッパーカバー１８と、取付部材２２と、キーボード２４と、支持板２６とを備える（図４も適宜参照）。
【００１７】
アッパーカバー１８は、複数のキー開口２８を有する。この複数のキー開口２８は、キーボード２４に設けられた複数のキートップ５２のそれぞれと対応して形成されており、アッパーカバー１８の奥行方向及び横幅方向に配列されている。複数のキー開口２８は、アッパーカバー１８の厚み方向に貫通している。
【００１８】
各キー開口２８は、各キー開口２８と対応するキートップ５２の外形と同様の形状とされている。この各キー開口２８は、キートップ５２との間になるべく隙間を有さないように、キートップ５２の外形よりも僅かに大きく形成されている。
【００１９】
取付部材２２は、薄板枠状に形成されており、アッパーカバー１８の裏面１８Ａ（図３，図４参照）に重ね合わされる。この取付部材２２は、アッパーカバー１８と共にアッパーカバー構造体３０を形成する。図５には、アッパーカバー構造体３０が斜視図にて示されている。図５では、取付部材２２がアッパーカバー１８の裏面１８Ａに重ね合わされた状態で示されている。取付部材２２は、例えば、アッパーカバー１８の裏面１８Ａに接着や溶着等により固定される。
【００２０】
取付部材２２の外形は、図２に示されるアッパーカバー１８のキートップ配置領域３２（複数のキー開口２８が形成された領域で周囲に対して少し凹んでいる部分）と対応する形状及び大きさで形成されている。この取付部材２２は、アッパーカバー１８の横幅方向を長手方向とし、アッパーカバー１８の奥行方向を短手方向とする平面視で概略長方形状に形成されている。
【００２１】
取付部材２２は、より具体的には、枠状に形成された枠部３４と、複数のフック３６とを有する。枠部３４は、複数のキー開口２８のそれぞれと整合する複数の整合穴３８を有する。複数の整合穴３８は、複数のキー開口２８のそれぞれと同様の形状及び大きさで形成されており、取付部材２２の板厚方向に貫通している。複数の整合穴３８を有する枠状に形成された枠部３４において、各整合穴３８の周囲には、取付部材２２の長手方向に延びる一対の横縁部４０と、取付部材２２の短手方向に延びる一対の縦縁部４２とが形成されている。
【００２２】
複数のフック３６は、複数の整合穴３８のそれぞれの縁部に立設されている。各フック３６は、より具体的には、各整合穴３８の両側に位置する一対の横縁部４０のうち整合穴３８に対してアッパーカバー１８の前側（矢印ＦＲ側）に位置する一方の横縁部４０に形成されている。この各フック３６は、一方の横縁部４０の長手方向の中央部に形成されている。
【００２３】
また、取付部材２２におけるアッパーカバー１８側を取付部材２２の表側、その反対側を取付部材２２の裏側とした場合に、複数のフック３６は、取付部材２２の裏側に延びている。図５に示されるように、取付部材２２がアッパーカバー１８の裏面１８Ａに取り付けられた状態において、複数のフック３６は、アッパーカバー１８の裏面１８Ａに立設される。
【００２４】
図６，図７には、取付部材２２が単体で示されている。取付部材２２は、一例として金属製とされており、打抜き加工及び曲げ加工により形成される。図６には、取付部材２２が打抜き加工された後に曲げ加工された状態が示されており、図７には、取付部材２２が打抜き加工された後で曲げ加工される前の状態が示されている。
【００２５】
図７に示されるように、複数のフック３６及び複数の整合穴３８は、打抜き加工により形成される。複数のフック３６は、曲げ加工される前の状態では、取付部材２２の短手方向に沿って横臥した状態とされる。そして、図６に示されるように、複数のフック３６は、曲げ加工されることにより、取付部材２２の裏側へ起立された状態とされる。各フック３６は、取付部材２２の裏側に延びる基部４４と、基部４４の先端から取付部材２２の長手方向の一方側（矢印ＲＨ側）に延びる先端部４６とを有する概略Ｌ字状に形成されている。
【００２６】
また、複数のフック３６は、複数のフック列４８を形成している。各フック列４８は、取付部材２２の長手方向にフック３６が複数並ぶことにより直線状に形成されている。複数のフック列４８は、取付部材２２の短手方向に並んでいる。
【００２７】
図２に示されるように、キーボード２４は、ベース板５０と、複数のキートップ５２とを有する。ベース板５０は、アッパーカバー１８の裏側（取付部材２２の裏側）に配置される。キーボード２４（ベース板５０）は、平面視で長手方向及び短手方向を有する形状、例えば、概略長方形状に形成されている。
【００２８】
このキーボード２４は、アッパーカバー１８の横幅方向を長手方向として配置される。ベース板５０、アッパーカバー１８におけるキートップ配置領域３２、取付部材２２、及び、後述する支持板２６は、略同様の外形形状及び大きさで形成されている。
【００２９】
図３，図４に示されるように、ベース板５０には、ベース板５０の板厚方向に貫通する複数の第一貫通孔５４が形成されている。この複数の第一貫通孔５４は、上述の複数のフック３６とそれぞれ対応する位置に形成されている。各第一貫通孔５４は、ベース板５０の長手方向に延びる平面視で長方形状に形成されており、フック３６の先端部４６が通過し得る大きさで形成されている。
【００３０】
図２に示されるように、複数のキートップ５２は、ベース板５０の表側に設けられている。この複数のキートップ５２は、ベース板５０の長手方向及び短手方向に配列されている。アッパーカバー１８の裏側にベース板５０が組み付けられた状態において、複数のキートップ５２は、各整合穴３８を通じて複数のキー開口２８にそれぞれ挿入され、アッパーカバー１８の表側に露出される。このように、キーボード２４は、アッパーカバー１８に形成された複数のキー開口２８から複数のキートップ５２のみが露出されるアイソレーションキーボードとして構成されている。
【００３１】
この複数のキートップ５２には、例えばアルファベットキーなどの平面視で正方形状のキートップ５２Ａの他に、例えばシフトキーやスペースキーなどの平面視で長方形状のキートップ５２Ｂが含まれている。長方形状のキートップ５２Ｂは、キーボード２４の長手方向（横幅方向）を長手方向として配置されている。
【００３２】
図３に示されるように、支持板２６は、キーボード２４の裏側（ベース板５０の裏側）に配置される。この支持板２６は、キーボード２４の長手方向（横幅方向）を長手方向とし、キーボード２４の短手方向（奥行方向）を短手方向とする平面視で概略長方形状に形成されている。
【００３３】
この支持板２６には、支持板２６の板厚方向に貫通する複数の第二貫通孔５６が形成されている。この複数の第二貫通孔５６は、上述の複数のフック３６及び複数の第一貫通孔５４とそれぞれ対応する位置に形成されている。各第二貫通孔５６は、第一貫通孔５４と同様に、支持板２６の長手方向に延びる平面視で長方形状に形成されており、フック３６の先端部４６が通過し得る大きさで形成されている。
【００３４】
図３に示されるように、アッパーカバー１８の裏面１８Ａには、位置決めピン５８が形成されている。この位置決めピン５８は、アッパーカバー１８の裏面１８Ａにおける横幅方向の両側の側部にそれぞれ設けられている。
【００３５】
一方、取付部材２２の長手方向の両端部には、第一位置決め片６０が形成され、ベース板５０の長手方向の両端部には、第二位置決め片６２が形成され、支持板２６の長手方向の両端部には、第三位置決め片６４が形成されている。第一位置決め片６０、第二位置決め片６２、及び、第三位置決め片６４は、互いに整合する位置に形成されている。この第一位置決め片６０、第二位置決め片６２、及び、第三位置決め片６４には、位置決め孔６６，６８，７０がそれぞれ形成されている。この位置決め孔６６，６８，７０には、位置決めピン５８が挿入される。
【００３６】
取付部材２２の長手方向の両端部に形成された一対の第一位置決め片６０のうち、一方に形成された位置決め孔６６は、丸孔とされ、他方に形成された位置決め孔６６は、寸法誤差を吸収するため取付部材２２の長手方向に延びる長孔とされている。同様に、キーボード２４の長手方向の両端部に形成された一対の第一位置決め片６２のうち、一方に形成された位置決め孔６８は、丸孔とされ、他方に形成された位置決め孔６８は、寸法誤差を吸収するためキーボード２４の長手方向に延びる長孔とされている。一方、支持板２６の長手方向の両端部に形成された一対の第三位置決め片６４に形成された位置決め孔７０は、いずれも支持板２６の長手方向に延びる長孔とされている。
【００３７】
そして、ベース板５０の裏側に支持板２６が組み付けられた状態において、支持板２６は、位置決めピン５８が長孔である位置決め孔７０の内側を相対移動する範囲で、キーボード２４の長手方向にスライド可能とされている。支持板２６がキーボード２４の長手方向にスライドする際に、各フック３６の基部４４は、支持板２６の第二貫通孔５６の内側を支持板２６の長手方向に相対移動する。
【００３８】
また、支持板２６の長手方向の一端部には、固定片７２が形成されている。この固定片７２には、固定孔７４が形成されている。一方、アッパーカバー１８には、固定片７２と対応する位置にボス部７６が形成されている。このボス部７６には、固定孔７４と連通するネジ穴７８が形成されている。固定片７２、ボス部７６、及び、ネジ８０は、支持板２６をアッパーカバー１８に固定する固定部８２を形成している。
【００３９】
次に、第一実施形態に係る入力装置２０の製造方法（組立方法）と併せて入力装置２０の構造を詳述する。
【００４０】
図３に示されるように、取付部材２２は、アッパーカバー１８の裏面１８Ａに重ね合わされる。そして、この取付部材２２は、例えば、アッパーカバー１８の裏面１８Ａに接着や溶着等により固定される。取付部材２２がアッパーカバー１８の裏面１８Ａに固定された状態では、複数のフック３６がアッパーカバー１８の裏面１８Ａに立設される。
【００４１】
また、上述のように取付部材２２がアッパーカバー１８の裏面１８Ａに重ね合わされるときには、取付部材２２の第一位置決め片６０に形成された位置決め孔６６に、アッパーカバー１８に形成された位置決めピン５８が挿入される。そして、取付部材２２がアッパーカバー１８に対して位置決めされる。取付部材２２がアッパーカバー１８の裏面１８Ａに位置決めされた状態では、複数の整合穴３８が複数のキー開口２８のそれぞれと整合する。
【００４２】
続いて、キーボード２４のベース板５０が取付部材２２の裏側から取付部材２２に重ね合わされ、このベース板５０がアッパーカバー１８の裏側に配置される。ベース板５０がアッパーカバー１８の裏側に配置されると、複数のキートップ５２は、各整合穴３８を通じて複数のキー開口２８にそれぞれ挿入され、アッパーカバー１８の表側に露出される。
【００４３】
また、上述のようにアッパーカバー１８、取付部材２２、及び、キーボード２４が組み付けられた状態では、複数のフック３６が複数のキートップ５２毎に配置される。この複数のフック３６は、複数のキートップ５２のそれぞれとキーボード２４の奥行方向（短手方向）に並んで配置される。
【００４４】
また、各フック３６は、各整合穴３８に対してアッパーカバー１８の前側（矢印ＦＲ側）に位置する横縁部４０の長手方向の中央部に形成されている。これにより、各フック３６は、キートップ５２の横幅方向の中央部と該キートップ５２の縦方向に並んで配置される。
【００４５】
ここで、図８には、長方形状のキートップ５２Ｂとフック３６との位置関係が示されている。図８に示されるように、複数のキートップ５２には、例えばシフトキーやスペースキーなどの平面視で長方形状のキートップ５２Ｂが含まれている。そして、この長方形状のキートップ５２Ｂと対応するフック３６は、長方形状のキートップ５２Ｂの長手方向の中央部と該キートップ５２の短手方向に並んで配置される。
【００４６】
また、上述のように図３に示されるベース板５０がアッパーカバー１８の裏側に配置されると、ベース板５０の第二位置決め片６２に形成された位置決め孔６８に位置決めピン５８が挿入され、ベース板５０がアッパーカバー１８に対して位置決めされる。さらに、取付部材２２に形成された複数のフック３６がベース板５０に形成された複数の第一貫通孔５４にそれぞれ挿入され、複数のフック３６がベース板５０を貫通する。
【００４７】
続いて、支持板２６がベース板５０の裏面に重ね合わされる。支持板２６がベース板５０の裏面に重ね合わされると、支持板２６の第三位置決め片６４に形成された位置決め孔７０に位置決めピン５８が挿入される。さらに、取付部材２２に形成されベース板５０を貫通する複数のフック３６が支持板２６に形成された複数の第二貫通孔５６にそれぞれ挿入される。
【００４８】
このとき、支持板２６に形成された位置決め孔７０は、支持板２６の長手方向に延びる長孔であるため、支持板２６は、位置決め孔７０の内側を位置決めピン５８が相対移動する範囲で、キーボード２４の長手方向にスライド可能とされる。
【００４９】
そして、図３から図４に示されるように、複数のフック３６の先端部４６が延びる方向と反対方向（つまり、キーボード２４の長手方向の他方側であって矢印ＲＨと反対側）に支持板２６がスライドされる。このように支持板２６がキーボード２４の長手方向の他方側にスライドされると、複数のフック３６の先端部４６が、支持板２６の裏面における第二貫通孔５６の周辺部（被係合部８４）と係合される。
【００５０】
そして、図３に示される支持板２６の固定片７２に形成された固定孔７４にネジ８０が挿入されると共に、このネジ８０の先端部４６が、アッパーカバー１８のボス部７６に形成されたネジ穴７８に螺入され、支持板２６がアッパーカバー１８に固定される。以上の要領で、入力装置２０は製造される。
【００５１】
なお、入力装置２０は、上記と逆の手順により分解することが可能である。つまり、ネジ８０が取り外されると、支持板２６がキーボード２４の長手方向にスライド可能とされる。そして、支持板２６がキーボード２４の長手方向の一方側（矢印ＲＨ側）にスライドされると、複数のフック３６の先端部４６と支持板２６（被係合部８４）との係合が解除され、入力装置２０が分解可能となる。
【００５２】
次に、第一実施形態の作用及び効果について説明する。
【００５３】
以上詳述したように、第一実施形態に係る入力装置２０によれば、キーボード２４は、アッパーカバー１８の裏側からアッパーカバー１８に組み付けられる。また、アッパーカバー１８には、複数のキートップ５２と対応する複数のキー開口２８が形成されており、キーボード２４に設けられた複数のキートップ５２は、アッパーカバー１８の裏側から複数のキー開口２８にそれぞれ挿入されてアッパーカバー１８の表側に露出される。したがって、例えば、キーボード２４がアッパーカバー１８の表側から組み付けられる場合のように、アッパーカバー１８にキーボード２４の外形部との間の継ぎ目が形成されることを回避することができる。これにより、入力装置２０（本体装置１１）のデザイン性を向上させることができる。
【００５４】
また、アッパーカバー１８の裏面１８Ａには、複数のキートップ５２毎に配置された複数のフック３６が立設されており、この複数のフック３６により、キーボード２４は、アッパーカバー１８に固定される。したがって、複数のキートップ５２毎に配置された複数のフック３６によってキーボード２４における各キートップ５２の周辺部の剛性を確保することができる。これにより、各キートップ５２の打鍵時の沈み込みを抑制することができるので、入力装置２０の感性品質を向上させることができる。
【００５５】
また、例えば、キーボード２４をアッパーカバー１８に多数のネジでネジ止めする固定構造では、ネジ穴を有する多数のボス部の配置が制限される。このため、多数のボス部を複数のキートップ５２毎に配置することが困難であり、各キートップ５２の打鍵時の沈み込みを抑制出来ない虞がある。しかしながら、第一実施形態に係る入力装置２０によれば、小型化が容易な複数のフック３６を用いているので、複数のフック３６を複数のキートップ５２毎に容易に配置することができる。これにより、小型化を図りつつ、複数のキートップ５２毎に配置した複数のフック３６でキーボード２４における各キートップ５２の周辺部を支持することができる。
【００５６】
また、第一実施形態に係る入力装置２０によれば、キーボード２４のベース板５０の裏面には、支持板２６が重ね合わされている。そして、複数のフック３６は、ベース板５０を貫通し、複数のフック３６の先端部４６は、支持板２６と係合されている。したがって、このベース板５０によって、キーボード２４のベース板５０を裏側から支持することができるので、各キートップ５２の打鍵時の沈み込みをより一層効果的に抑制することができる。
【００５７】
また、複数のキートップ５２には、例えばシフトキーやスペースキーなどの平面視で長方形状のキートップ５２Ｂが含まれている。そして、長方形状のキートップ５２Ｂと対応するフック３６は、平面視で長方形状のキートップ５２Ｂの長手方向の中央部と該キートップ５２の短手方向に並んで配置されている（図８参照）。これにより、例えば、フック３６が縦縁部４２に形成される場合に比して、長方形状のキートップ５２Ｂの中心部により近い位置にフック３６が配置されるので、長方形状のキートップ５２Ｂの打鍵時の沈み込みをより一層効果的に抑制することができる。
【００５８】
また、入力装置２０を組み立てる場合には、支持板２６をキーボード２４の長手方向の他方側にスライドさせてフック３６の先端部４６と支持板２６とを係合させ、支持板２６をアッパーカバー１８に固定するためのネジ８０を締めれば良い。したがって、例えば、キーボード２４をアッパーカバー１８に多数のネジでネジ止めする構造に比して、多数のネジが不要であるので、入力装置２０の組立及び分解のための工数を削減することができる。
【００５９】
また、例えば、キーボード２４をアッパーカバー１８の裏面１８Ａに接着する固定構造では、キーボード２４の剥離時にキーボード２４やアッパーカバー１８等に変形や破損が生じる虞がある。しかしながら、上述の第一実施形態に係る入力装置２０によれば、ネジ８０を取り外し、支持板２６をキーボード２４の長手方向の一方側にスライドさせてフック３６の先端部４６と支持板２６との係合を解除することで入力装置２０の分解が可能になる。したがって、キーボード２４の剥離時にキーボード２４に無理な力が作用することを抑制できるので、キーボード２４やアッパーカバー１８等の変形や破損を抑制することができる。この結果、キーボード２４やアッパーカバー１８等の再利用が可能となる。
【００６０】
また、支持板２６は、キーボード２４の長手方向にスライド可能とされており、この支持板２６をスライドさせることで、複数のフック３６と支持板２６（被係合部８４）との係合及び係合解除を切り替えることができる。これにより、入力装置２０の組立及び分解をより一層容易にすることができる。
【００６１】
また、複数のフック３６は、キーボード２４の長手方向にフック３６が複数並ぶフック列４８をキーボード２４の短手方向に複数形成している。したがって、例えば、複数のフック３６が千鳥状に配列される場合等に比して、複数のフック３６の配置の精度を確保することができる。これにより、ベース板５０の第一貫通孔５４及び支持板２６の第二貫通孔５６に対して複数のフック３６を円滑に挿抜することができるので、このことによっても、入力装置２０の組立及び分解をより一層容易にすることができる。
【００６２】
また、例えば、キーボード２４をアッパーカバー１８に組み付ける際に、キーボード２４をスライドさせる必要がある場合には、このスライド量に対応する隙間をキートップ５２とキー開口２８の内面との間に設ける必要がある。しかしながら、上述の第一実施形態に係る入力装置２０によれば、キーボード２４ではなく、支持板２６をスライドさせることで、入力装置２０の組立及び分解が可能である。これにより、キートップ５２とキー開口２８の内面との間を詰めることができるので、入力装置２０（本体装置１１）のデザイン性をより一層向上させることができる。
【００６３】
次に、第一実施形態の変形例について説明する。
【００６４】
上記第一実施形態において、入力装置２０は、ノート型パーソナルコンピュータ１０の本体装置１１に適用されているが、ノート型パーソナルコンピュータの本体装置以外の電子機器に適用されても良い。
【００６５】
また、入力装置２０が適用された電子機器は、ノート型パーソナルコンピュータであるが、ノート型パーソナルコンピュータ以外でも良い。
【００６６】
また、例えば、入力装置２０がノート型パーソナルコンピュータの本体装置以外の機器に適用される場合に、図１６，図１７に示される電子機器１４０のように、キーボード２４は、奥行方向を長手方向とし横幅方向を短手方向とする縦長に形成されても良い。また、例えば、この場合に、キーボード２４は、キーボード２４の長手方向を長手方向として配置された長方形状のキートップを有していても良い。
【００６７】
また、例えば、キーボード２４が奥行方向を長手方向とし横幅方向を短手方向とする縦長に形成された場合に、図１８に示されるように、フック３６は、キーボード２４の奥行方向に向けて形成されても良い。また、第一貫通孔５４及び第二貫通孔５６は、キーボード２４の奥行方向に延びる長孔により形成されても良い。そして、支持板２６は、キーボード２４の奥行方向にスライド可能とされても良い。
【００６８】
また、支持板２６は、好ましくは、キーボード２４の長手方向にスライド可能とされるが、図１９に示される第二変形例のように、キーボード２４の短手方向にスライド可能とされても良い。
【００６９】
また、上記第一実施形態において、複数のフック３６の先端部４６は、キーボード２４の右側（矢印ＲＨ側）に向けて延びている。そして、支持板２６は、キーボード２４の右側（矢印ＲＨ側）にスライドされると複数のフック３６の先端部４６との係合が解除され、キーボード２４の左側（矢印ＲＨと反対側）にスライドされると複数のフック３６の先端部４６と係合される。
【００７０】
しかしながら、複数のフック３６の先端部４６は、キーボード２４の左側に向けて延びていても良い。そして、支持板２６は、キーボード２４の左側にスライドされると複数のフック３６の先端部４６との係合が解除され、キーボード２４の右側にスライドされると複数のフック３６の先端部４６と係合されても良い。
【００７１】
また、支持板２６には、複数の第二貫通孔５６が形成され、複数のフック３６は、第二貫通孔５６に挿入されて支持板２６と係合される。しかしながら、例えば、貫通孔以外の形状を有する複数の被係合部が支持板２６に形成され、この複数の被係合部に複数のフック３６がそれぞれ係合されても良い。
【００７２】
また、上記第一実施形態において、複数のフック３６は、より好ましくは、キーボード２４の長手方向にフック３６が複数並ぶフック列４８をキーボード２４の短手方向に複数形成するよう配列される。しかしながら、複数のフック３６は、例えば、千鳥状など上記以外の形態で配列されても良い。
【００７３】
また、上記第一実施形態において、アッパーカバー１８には、位置決めピン５８が形成され、キーボード２４のベース板５０には、位置決めピン５８が挿入される位置決め孔６８が形成されている。しかしながら、アッパーカバー１８には、位置決め孔が形成され、ベース板５０には、位置決めピンが形成されても良い。
【００７４】
また、上記第一実施形態において、取付部材２２は、好ましくは、アッパーカバー１８の裏面１８Ａに接着や溶着等により固定される。しかしながら、取付部材２２は、例えばネジ止めなど、接着や溶着以外の方法によりアッパーカバー１８の裏面１８Ａに固定されても良い。
【００７５】
［第二実施形態］
次に、本願の開示する技術の第二実施形態を説明する。
【００７６】
図９には、第二実施形態に係る入力装置１２０が分解斜視図にて示されており、図１０には、第二実施形態に係る入力装置１２０の組立後の状態が示されている。図９，図１０に示される第二実施形態に係る入力装置１２０は、上述の第一実施形態に係る入力装置２０（図３，図４参照）に対し、次のように構造が変更されている。
【００７７】
つまり、第二実施形態に係る入力装置１２０は、上述の第一実施形態におけるアッパーカバー構造体３０の代わりに、アッパーカバー構造体１３０を有する。図１１には、第二実施形態におけるアッパーカバー構造体１３０が示されている。
【００７８】
図１１に示されるように、アッパーカバー構造体１３０は、アッパーカバー１８と、機能部材１３２とを有している。機能部材１３２は、例えば、樹脂製とされ、アッパーカバー１８の裏面１８Ａに設けられている。この機能部材１３２には、各種の固定部や位置決め部等が形成されている。
【００７９】
アッパーカバー１８は、第一実施形態と同様に、複数のキー開口２８を有する。また、第二実施形態において、アッパーカバー１８には、複数のフック３６と、複数の立壁部１３８とが一体に形成されている。複数の立壁部１３８は、アッパーカバー１８の裏面１８Ａに形成されており、各キー開口２８の周縁部にそれぞれ沿う環状に形成されている。複数のフック３６は、第一実施形態におけるフック３６と同様の形状であり、各立壁部１３８の頂部に形成されている。
【００８０】
図１２，図１３には、第二実施形態におけるアッパーカバー１８が単体で示されている。第二実施形態において、アッパーカバー１８は、一例として金属製とされており、打抜き加工及び絞り加工により形成される。図１２には、第二実施形態におけるアッパーカバー１８が打抜き加工された後に絞り加工された状態が示されており、図１３には、第二実施形態におけるアッパーカバー１８が打抜き加工された後で絞り加工される前の状態が示されている。
【００８１】
図１３に示されるように、第二実施形態におけるアッパーカバー１８において、複数のキー開口２８、複数のフック３６、及び、複数の立壁部１３８は、打抜き加工により形成される。複数のフック３６は、絞り加工される前の状態では、アッパーカバー１８の奥行方向に沿って横臥した状態とされる。そして、図１２に示されるように、複数のフック３６及び複数の立壁部１３８は、絞り加工により形成される。この複数のフック３６及び複数の立壁部１３８は、絞り加工されることにより、アッパーカバー１８の裏側へ立設される。
【００８２】
各フック３６は、第一実施形態と同様に、アッパーカバー１８の裏側に延びる基部４４と、基部４４の先端からアッパーカバー１８の横幅方向の一方側（矢印ＲＨ側）に延びる先端部４６とを有する概略Ｌ字状に形成されている。
【００８３】
また、複数のフック３６は、第一実施形態と同様に、複数のフック列４８を形成している。各フック列４８は、アッパーカバー１８の横幅方向にフック３６が複数並ぶことにより直線状に形成されている。複数のフック列４８は、アッパーカバー１８の奥行方向に並んでいる。
【００８４】
次に、第二実施形態に係る入力装置１２０の製造方法（組立方法）と併せて入力装置１２０の構造を詳述する。
【００８５】
図１２に示されるように、第二実施形態では、アッパーカバー１８が打抜き加工及び絞り加工により形成される。複数のフック３６は、上述の如くアッパーカバー１８の絞り加工により形成され、アッパーカバー１８の裏面１８Ａに立設される。続いて、図９に示されるように、アッパーカバー１８に機能部材１３２が組み付けられる。機能部材１３２は、予め樹脂成型により製造されてアッパーカバー１８に組み付けられても良いし、一体成型によりアッパーカバー１８と一体化されても良い。
【００８６】
そして、キーボード２４のベース板５０がアッパーカバー１８の裏側からアッパーカバー１８に重ね合わされ、このベース板５０がアッパーカバー１８の裏側に配置される。ベース板５０がアッパーカバー１８の裏側に配置されると、複数のキートップ５２は、複数のキー開口２８にそれぞれ挿入され、アッパーカバー１８の表側に露出される。
【００８７】
また、上述のようにアッパーカバー１８にキーボード２４が組み付けられた状態では、複数のフック３６が複数のキートップ５２毎に配置される。複数のフック３６と複数のキートップ５２との位置関係は、第一実施形態と同様である。
【００８８】
また、上述のようにベース板５０がアッパーカバー１８の裏側に配置されると、ベース板５０の第二位置決め片６２に形成された位置決め孔６８に位置決めピン５８が挿入され、ベース板５０がアッパーカバー１８に対して位置決めされる。さらに、複数のフック３６がベース板５０に形成された複数の第一貫通孔５４にそれぞれ挿入され、複数のフック３６がベース板５０を貫通する。
【００８９】
続いて、支持板２６がベース板５０の裏面に重ね合わされる。支持板２６がベース板５０の裏面に重ね合わされると、支持板２６の第三位置決め片６４に形成された位置決め孔７０に位置決めピン５８が挿入される。さらに、ベース板５０を貫通する複数のフック３６が支持板２６に形成された複数の第二貫通孔５６にそれぞれ挿入される。
【００９０】
このとき、支持板２６に形成された位置決め孔７０は、支持板２６の長手方向に延びる長孔であるため、支持板２６は、位置決め孔７０の内側を位置決めピン５８が相対移動する範囲で、キーボード２４の長手方向にスライド可能とされる。
【００９１】
そして、図９から図１０に示されるように、複数のフック３６の先端部４６が延びる方向と反対方向（つまり、キーボード２４の長手方向の他方側であって矢印ＲＨと反対側）に支持板２６がスライドされる。このように支持板２６がキーボード２４の長手方向の他方側にスライドされると、複数のフック３６の先端部４６が、支持板２６の裏面における第二貫通孔５６の周辺部（被係合部８４）と係合される。
【００９２】
ここで、図１４，図１５には、第二実施形態に係る入力装置１２０が一部断面を含む斜視図にて示されている。図１４，図１５に示されるように、複数のフック３６の先端部４６が、支持板２６の裏面における第二貫通孔５６の周辺部（被係合部８４）と係合された状態において、立壁部１３８の頂部（ベース板５０側の端部）は、ベース板５０の表面に当接される。
【００９３】
そして、図９に示される支持板２６の固定片７２に形成された固定孔７４にネジ８０が挿入されると共に、このネジ８０の先端部４６が、アッパーカバー１８のボス部７６に形成されたネジ穴７８に螺入され、支持板２６がアッパーカバー１８に固定される。以上の要領で、入力装置１２０は製造される。
【００９４】
なお、入力装置１２０は、第一実施形態と同様に、上記と逆の手順により分解することが可能である。つまり、ネジ８０が取り外されると、支持板２６がキーボード２４の長手方向にスライド可能とされる。そして、支持板２６がキーボード２４の長手方向の一方側（矢印ＲＨ側）にスライドされると、複数のフック３６の先端部４６と支持板２６（被係合部８４）との係合が解除され、入力装置１２０が分解可能となる。
【００９５】
次に、第二実施形態の作用及び効果について説明する。
【００９６】
以上詳述したように、第二実施形態に係る入力装置１２０においても、キーボード２４は、アッパーカバー１８の裏側からアッパーカバー１８に組み付けられる。また、アッパーカバー１８には、複数のキートップ５２と対応する複数のキー開口２８が形成されており、キーボード２４に設けられた複数のキートップ５２は、アッパーカバー１８の裏側から複数のキー開口２８にそれぞれ挿入されてアッパーカバー１８の表側に露出される。したがって、例えば、キーボード２４がアッパーカバー１８の表側から組み付けられる場合のように、アッパーカバー１８にキーボード２４の外形部との間の継ぎ目が形成されることを回避することができる。これにより、入力装置１２０（本体装置１１）のデザイン性を向上させることができる。
【００９７】
また、アッパーカバー１８の裏面１８Ａには、複数のキートップ５２毎に配置された複数のフック３６が立設されており、この複数のフック３６により、キーボード２４は、アッパーカバー１８に固定される。したがって、複数のキートップ５２毎に配置された複数のフック３６によってキーボード２４における各キートップ５２の周辺部の剛性を確保することができる。これにより、各キートップ５２の打鍵時の沈み込みを抑制することができるので、入力装置１２０の感性品質を向上させることができる。
【００９８】
また、入力装置１２０を組み立てる場合には、支持板２６をキーボード２４の長手方向の他方側にスライドさせてフック３６の先端部４６と支持板２６とを係合させ、支持板２６をアッパーカバー１８に固定するためのネジ８０を締めれば良い。したがって、例えば、キーボード２４をアッパーカバー１８に多数のネジでネジ止めする構造に比して、多数のネジが不要であるので、入力装置１２０の組立及び分解のための工数を削減することができる。
【００９９】
また、第二実施形態に係る入力装置１２０によれば、複数のフック３６は、アッパーカバー１８に一体に形成されている。したがって、部品点数及び組立工数を削減することができるので、低コスト化を図ることができる。
【０１００】
また、アッパーカバー１８には、複数のキー開口２８の周縁部にそれぞれ立壁部１３８が形成されている。したがって、この複数の立壁部１３８がリブの役割を果たすので、アッパーカバー１８の剛性を向上させることができる。
【０１０１】
また、複数の立壁部１３８の頂部（ベース板５０側の端部）は、キーボード２４のベース板５０の表面に当接されている。したがって、この複数の立壁部１３８によって、キーボード２４における複数のキートップ５２の周辺部の剛性を向上させることができる。これにより、各キートップ５２の打鍵時の沈み込みをより一層効果的に抑制することができる。
【０１０２】
なお、第二実施形態に係る入力装置１２０では、上記以外にも、上述の第一実施形態と同様の構造については、第一実施形態と同様の作用効果を奏することができる。
【０１０３】
また、第二実施形態においては、上述の第一実施形態の変形例と同様の変形例を採用することが可能である。
【０１０４】
以上、本願の開示する技術の第一及び第二実施形態について説明したが、本願の開示する技術は、上記に限定されるものでなく、上記以外にも、その主旨を逸脱しない範囲内において種々変形して実施可能であることは勿論である。
【０１０５】
なお、上述の本願の開示する技術の一実施形態に関し、更に以下の付記を開示する。
【０１０６】
（付記１）
複数のキー開口を有するアッパーカバーと、
前記アッパーカバーの裏側に配置されたベース板と、前記ベース板の表側に設けられ前記複数のキー開口にそれぞれ挿入された複数のキートップとを有するキーボードと、
前記複数のキートップ毎に配置されると共に、前記アッパーカバーの裏面に立設され、前記キーボードを前記アッパーカバーに固定する複数のフックと、
を備える入力装置。
（付記２）
前記複数のフックは、前記ベース板を貫通し、
前記ベース板の裏面には、支持板が重ね合わされ、
前記複数のフックの先端部は、前記支持板と係合されている、
付記１に記載の入力装置。
（付記３）
前記キーボードは、平面視で長手方向及び短手方向を有する形状に形成され、
前記支持板は、前記キーボードの長手方向にスライド可能とされ、
前記支持板には、前記支持板が前記キーボードの長手方向の一方側にスライドされた状態では前記複数のフックの先端部との係合が解除され、前記支持板が前記キーボードの長手方向の他方側にスライドされた状態では前記複数のフックの先端部と係合される被係合部が設けられている、
付記２に記載の入力装置。
（付記４）
前記複数のフックは、前記キーボードの長手方向に前記フックが複数並ぶフック列を前記キーボードの短手方向に複数形成している、
付記３に記載の入力装置。
（付記５）
前記複数のキートップには、平面視で長方形状のキートップが含まれ、
前記複数のフックのうち前記長方形状のキートップと対応するフックは、前記長方形状のキートップの長手方向の中央部と該キートップの短手方向に並んで配置されている、
付記１〜付記４のいずれか一項に記載の入力装置。
（付記６）
前記キーボードは、平面視で長手方向及び短手方向を有する形状に形成され、
前記長方形状のキートップは、前記キーボードの長手方向を長手方向として配置され、
前記複数のフックは、前記複数のキートップのそれぞれと前記キーボードの短手方向に並んで配置されている、
付記５に記載の入力装置。
（付記７）
前記アッパーカバーの裏面に重ね合わされると共に前記複数のキー開口のそれぞれと整合する複数の整合穴を有する枠部と、前記複数の整合穴のそれぞれの縁部に立設された前記複数のフックとを有する取付部材を備える、
付記１〜付記６のいずれか一項に記載の入力装置。
（付記８）
前記複数のフックは、前記アッパーカバーに一体に形成されている、
付記１〜付記６のいずれか一項に記載の入力装置。
（付記９）
前記アッパーカバーの裏面には、各前記キー開口の周縁部にそれぞれ沿う環状の立壁部が複数形成され、
前記立壁部の頂部は、前記ベース板の表面に当接されている、
付記８に記載の入力装置。
（付記１０）
前記フックは、前記立壁部の頂部に形成されている、
付記９に記載の入力装置。
（付記１１）
前記アッパーカバー及び前記ベース板の一方には、位置決めピンが形成され、
前記アッパーカバー及び前記ベース板の他方には、前記位置決めピンが挿入された位置決め孔が形成されている、
付記１〜付記１０のいずれか一項に記載の入力装置。
（付記１２）
前記支持板を前記アッパーカバーに固定する固定部を備える、
付記１〜付記１１のいずれか一項に記載の入力装置。
（付記１３）
入力装置を有する本体装置と、
前記本体装置に回動可能に固定された表示装置と、
を備え、
入力装置は、
複数のキー開口を有するアッパーカバーと、
前記複数のキー開口にそれぞれ挿入された複数のキートップを有するキーボードと、
前記複数のキートップ毎に配置されると共に、前記アッパーカバーの裏面に立設され、前記キーボードを前記アッパーカバーに固定する複数のフックと、
を有する、
電子機器。
（付記１４）
複数のキー開口を有するアッパーカバーの裏側からキーボードに設けられた複数のキートップを前記複数のキー開口にそれぞれ挿入し、
前記複数のキートップ毎に配置されると共に前記アッパーカバーの裏面に立設された複数のフックで、前記キーボードを前記アッパーカバーに固定する、
ことを含む入力装置の製造方法。
（付記１５）
前記アッパーカバーの裏側に前記キーボードのベース板を配置すると共に、前記ベース板の表側に設けられた前記複数のキートップを前記複数のキー開口にそれぞれ挿入し、かつ、前記複数のフックを前記ベース板に貫通させ、
前記複数のフックの先端部を、前記ベース板の裏面に重ね合わせた支持板と係合させ、前記キーボードを前記アッパーカバーに固定する、
付記１４に記載の入力装置の製造方法。
【符号の説明】
【０１０７】
１０  ノート型パーソナルコンピュータ（電子機器の一例）
１１  本体装置
１２  表示装置
１８  アッパーカバー
１８Ａ  裏面
２０  入力装置
２２  取付部材
２４  キーボード
２６  支持板
２８  キー開口
３４  枠部
３６  フック
３８  整合穴
４０  横縁部
４２  縦縁部
４４  基部
４６  先端部
４８  フック列
５０  ベース板
５２  キートップ
８４  被係合部
１２０  入力装置
１３２  機能部材
１３８  立壁部
【図１】
2017076213.tif 000003
【図２】
2017076213.tif 000004
【図３】
2017076213.tif 000005
【図４】
2017076213.tif 000006
【図５】
2017076213.tif 000007
【図６】
2017076213.tif 000008
【図７】
2017076213.tif 000009
【図８】
2017076213.tif 000010
【図９】
2017076213.tif 000011
【図１０】
2017076213.tif 000012
【図１１】
2017076213.tif 000013
【図１２】
2017076213.tif 000014
【図１３】
2017076213.tif 000015
【図１４】
2017076213.tif 000016
【図１５】
2017076213.tif 000017
【図１６】
2017076213.tif 000018
【図１７】
2017076213.tif 000019
【図１８】
2017076213.tif 000020
【図１９】
2017076213.tif 000021